(57)【要約】【課題】俯瞰図形式の地図上における地点の中心位置からの距離を容易に把握できるようにする。【解決手段】ディスプレイ１８に表示した俯瞰図形式の地図４０上に、中心位置４１から等距離の地点を結ぶ複数の同心状の楕円線４２、４３、４４でなる距離表示円を描画すると共に、当該同心状の楕円線４２、４３、４４でなる距離表示円の近傍に、地図４０上の縮尺に応じて地図４０上の地点の表示間隔が狭くなって行くことに対応して、中心位置表示４１から離れるに従って等比級数的に大きくなって行く数値をもつ距離数値表示200〔ｍ〕、400〔ｍ〕、800〔ｍ〕を表示するようにしたことにより、俯瞰図形式の地図４０から把握し難い距離を距離数値表示200〔ｍ〕、400〔ｍ〕、800〔ｍ〕を参考にして直感的にかつ迅速に、容易に把握することができる。【選択図】図２
2011154405.tif 000002
【特許請求の範囲】
【請求項１】
自分の位置を表す中心位置表示を中心としてこれから移動しようとする範囲の地図データを記録媒体から読み出して、俯瞰図形式の地図としてディスプレイに表示する地図表示手段と、
当該表示された俯瞰図形式の上記地図上において、上記中心位置から等距離の地点を結ぶ複数の同心状の楕円線でなる距離表示円を上記地図に重畳するように描画する距離表示手段と
を具備し、
上記距離表示手段は、上記ディスプレイに表示した上記同心状の楕円線でなる上記距離表示円の近傍に、当該距離表示円の地点が表示されている上記地図上の縮尺に応じて地図上の地点の表示間隔が狭くなって行くことに対応して、上記中心位置表示から離れるに従って等比級数的に大きくなって行く数値によって表わす距離数値表示を表示する
ことを特徴とする電子地図表示装置。
【請求項２】
上記距離表示手段は、上記自分の位置を表す中心位置表示を、上記ディスプレイの中央より下方位置に表示することにより、上記中央位置表示から上方の地図表示部分に、自分がこれから移動しようとする上記範囲の地図データをできるだけ多く表示するようにする
ことを特徴とする請求項１に記載の電子地図表示装置。
【請求項３】
上記距離表示手段は、上記ディスプレイに表示した上記俯瞰図形式の地図上に、上記中心位置表示から放射状にラインを表示すると共に、当該各ラインに、上記中心位置表示からの地図上の距離を示す目盛を表示する
ことを特徴とする請求項１に記載の電子地図表示装置。
【請求項４】
上記距離表示手段は、上記ディスプレイに表示した上記俯瞰図形式の地図上に、上記中心位置表示から放射状にラインを表示すると共に、当該放射状ラインと上記同心状の楕円線でなる上記距離表示円との交差位置に、上記放射状ラインの上記俯瞰図形式の地図上の方位を示す文字又は記号を表示する
ことを特徴とする請求項１に記載の電子地図表示装置。
【請求項５】
地図表示手段によって、自分の位置を表す中心位置表示を中心としてこれから移動しようとする範囲の地図データを記録媒体から読み出して、俯瞰図形式の地図としてディスプレイに表示する第１のステップと、
距離表示手段によって、当該表示された俯瞰図形式の上記地図上において、上記中心位置から等距離の地点を結ぶ複数の同心状の楕円線でなる距離表示円を上記地図に重畳するように描画する第２のステップと
を具備し、
上記距離表示手段は、上記第２のステップにおいて、上記ディスプレイに表示した上記同心状の楕円線でなる上記距離表示円の近傍に、当該距離表示円の地点が表示されている上記地図上の縮尺に応じて地図上の地点の表示間隔が狭くなって行くことに対応して、上記中心位置表示から離れるに従って等比級数的に大きくなって行く数値によって表わす距離数値表示を表示する
ことを特徴とする電子地図表示方法。
【請求項６】
自車位置を表す中心位置表示を中心としてこれから移動しようとする範囲の地図データを記録媒体から読み出して、俯瞰図形式の地図としてディスプレイに表示する地図表示手段と、
当該表示された俯瞰図形式の上記地図上において、上記中心位置から等距離の地点を結ぶ複数の同心状の楕円線でなる距離表示円を上記地図に重畳するように描画する距離表示手段と
を具備し、
上記距離表示手段は、上記ディスプレイに表示した上記同心状の楕円線でなる上記距離表示円の近傍に、当該距離表示円の地点が表示されている上記地図上の縮尺に応じて地図上の地点の表示間隔が狭くなって行くことに対応して、上記中心位置表示から離れるに従って等比級数的に大きくなって行く数値によって表わす距離数値表示を表示する
ことを特徴とするナビゲーション装置。
【発明の詳細な説明】
【技術分野】
【０００１】
この発明は、電子地図表示装置、電子地図表示方法およびナビゲーション装置に関する。
【背景技術】
【０００２】
車載用のナビゲーション装置においては、ＣＤ−ＲＯＭ(Compact Disc Read Only Memory)などから読み出した地図データにしたがってディスプレイ上に地図が表示されるが、例えば図５Ａに示すように、緯線および経線に沿ったラインを、地図に重ねて所定の間隔で碁盤状に描画する機能が用意されている。
【０００３】
したがって、この描画機能を利用すれば、例えば、自車位置から走行の目標となる地点や建物までのおおよその距離を知ることができる。
【０００４】
また、パーソナルコンピュータなどにおいて実行される電子地図ビューワーアプリケーションソフトウェアにおいては、表示された地図の外枠部分に距離を示す目盛りを表示する機能が用意されている。したがって、この距離目盛りにより、やはり距離を知ることができる。
【先行技術文献】
【特許文献】
【０００５】
なお、先行技術文献として例えば以下のものがある。
【特許文献１】特開平６−１０９８２８号公報
【特許文献２】特開平７−２７８４４号公報
【特許文献３】特開平９−１４５３９０号公報
【発明の概要】
【発明が解決しようとする課題】
【０００６】
ところが、上記のような距離の表現方法の場合、車の運転中に、目標となる地点や建物までのおおよその距離を知ろうとしても、その距離を瞬時に知ることは困難である。特に、緯線および経線に対して斜め方向の距離の場合は、なおさら困難である。
【０００７】
また、図５Ａは、地図を平面図形式に表示している場合であるが、車載用のナビゲーション装置には、一般に、もとの地図データを変換することにより例えば図５Ｂに示すように、地図を俯瞰図（鳥瞰図）形式に表示する機能も用意されている。
【０００８】
すると、この俯瞰図形式では、地図上の単位長あたりの距離が、地図上の位置や方向によって異なるので、実際の距離を直感的に、かつ、迅速に把握することは、さらに困難になってしまう。
【０００９】
この発明は、このような問題点を解決しようとするものである。
【課題を解決するための手段】
【００１０】
かかる課題を解決するため本発明においては、地図表示手段によって、自分の位置を表す中心位置表示を中心としてこれから移動しようとする範囲の地図データを記録媒体から読み出して、俯瞰図形式の地図としてディスプレイに表示し、距離表示手段によって、当該表示された俯瞰図形式の地図上において、中心位置から等距離の地点を結ぶ複数の同心状の楕円線でなる距離表示円を地図に重畳するように描画すると共に、距離表示手段は、ディスプレイに表示した同心状の楕円線でなる距離表示円の近傍に、当該距離表示円の地点が表示されている地図上の縮尺に応じて地図上の地点の表示間隔が狭くなって行くことに対応して、中心位置表示から離れるに従って等比級数的に大きくなって行く数値によって表わす距離数値表示を表示するようにする。
【発明の効果】
【００１１】
本発明によれば、ディスプレイに表示した俯瞰図形式の地図上に、中心位置から等距離の地点を結ぶ複数の同心状の楕円線でなる距離表示円を描画すると共に、当該同心状の楕円線でなる距離表示円の近傍に、地図上の縮尺に応じて地図上の地点の表示間隔が狭くなって行くことに対応して、中心位置表示から離れるに従って等比級数的に大きくなって行く数値をもつ距離数値表示を表示するようにしたことにより、俯瞰図形式の地図から把握し難い距離を距離数値表示を参考にして直感的にかつ迅速に、容易に把握することができる。
【図面の簡単な説明】
【００１２】
【図１】この発明の一形態を示す系統図である。
【図２】この発明による表示例を示す俯瞰図である。
【図３】この発明による表示例を示す俯瞰図である。
【図４】この発明による表示例を示す俯瞰図である。
【図５】この発明による表示例を示す平面図である。
【発明を実施するための形態】
【００１３】
ところで、車載用のナビゲーション装置においては、通常、ディスプレイに表示された電子地図上に、自車の位置を表示する機能が用意されている。
【００１４】
また、車載用のナビゲーション装置や電子地図ビューワーアプリケーションソフトにおいては、ユーザが、カーソルキーやマウスなどを使用してディスプレイに表示された電子地図をスクロールさせる場合、スクロール後の操作対象となる地点を明示するため、通常、アプリケーションソフトは、地図の中心付近に「＋字カーソル」や「指マーク」などのスクロール中心マークを表示している。
【００１５】
この発明は、これらの点に着目して電子地図上の距離を、迅速に、かつ、直感的に知ることができるようにしたものである。
【００１６】
以下、この発明を車載用のナビゲーション装置に適用した場合の一形態について、図１により説明する。
【００１７】
図１において、このナビゲーション装置には、これを制御するための制御回路としてマイクロコンピュータ１０が設けられている。このマイクロコンピュータ１０は、各種のプログラムを実行するＣＰＵ(Central Processing Unit)１１と、それらのプログラムの書き込まれたＲＯＭ(Read Only Memory)１２と、ワークエリア用のＲＡＭ(Random Access Memory)１３と、各種のデータを保存しておくための不揮発性のメモリ１４とを有し、これらがシステムバス１９を通じて互いに接続されている。
【００１８】
さらに、システムバス１９には、各種の操作キー１５がキーインターフェイス回路１６を通じて接続されるとともに、表示デバイス、例えばカラーＬＣＤ(Liquid Crystal Display)１８がＬＣＤコントローラ回路１７を通じて接続されている。
【００１９】
そして、図１のナビゲーション装置は、地図データを有する大容量のメディアとしてＤＶＤ−ＲＯＭ(DVD Read Only Memory)３０を使用する場合であり、すなわち、ＤＶＤ−ＲＯＭ３０には、ナビゲーションに必要な各種の地図データ、例えば、地図を表示するためのデータやマップマッチングのための道路のデータなどが収容されている。そして、このＤＶＤ−ＲＯＭ３０からのデータを読み出すためのＤＶＤ−ＲＯＭドライブ装置２１が設けられ、このドライブ装置２１がシステムバス１９に接続されている。
【００２０】
さらに、このナビゲーション装置には、自律航法ユニット、例えばジャイロ２２が設けられ、このジャイロ２２からは、自分の移動する速度などのデータが取り出され、このデータがマイクロコンピュータ１０に供給される。また、車の走行速度を検出する車速センサ２３が設けられ、その出力信号がマイクロコンピュータ１０に供給される。
【００２１】
さらに、航法衛星、例えばＧＰＳ衛星からの電波が、ＧＰＳアンテナ２４により受信され、その受信信号がＧＰＳユニット（受信回路）２５に供給され、ＧＰＳユニット２５からは、自分の位置などのデータが取り出され、このデータがマイクロコンピュータ１０に供給される。
【００２２】
このような構成において、ジャイロ２２、車速センサ２３およびＧＰＳユニット２５の出力信号がＣＰＵ１１により処理されて自車位置が判別され、ＤＶＤ−ＲＯＭ３０からは自車位置を含む地図の地図データが読み出される。そして、この読み出された地図データにしたがって、例えば図２Ａに示すように、ＬＣＤ１８には、自車位置付近を中心とする電子地図４０が表示されるとともに、その自車位置に自車を示す例えば逆Ｖ字型のマーク４１が表示される。なお、図２Ａは、地図４０を俯瞰図形式に表示させた場合である。
【００２３】
そして、キー１５のうちの所定のキーを操作すると、図２Ｂに示すように、地図４０には、自車マーク（すなわち、自車位置）４１を中心とした距離表示円４２、４３、４４が同心状に表示される。この距離表示円４２〜４４は、自車マーク４１を中心とし、この中心から距離が等しい地図４０上の点をそれぞれ結ぶ等距離線であり、図２Ｂの場合には、地図４０が俯瞰図形式に表示されているので、距離表示円４２〜４４は、ほぼ楕円形に表示されている。
【００２４】
また、図２Ｂにおいては、距離表示円４２〜４４は、自車マーク４１から等比級数的に、200ｍ、400ｍ、800ｍの点をそれぞれ結んだ場合であり、この円４２〜４４の近傍には、自車マーク４１からの距離を示す数値４５が表示される。
【００２５】
なお、距離表示円４２〜４４の対応する距離およびその数は、表示される地図４０の縮尺に対応して、例えば、50ｍ、100ｍ、200ｍ、400ｍなどのように変更されるものである。また、距離表示円４２〜４４は、ＣＰＵ１１が円４２〜４４を描画するプログラムを実行することにより表示されるものであり、そのプログラムはＲＯＭ１２に用意される。さらに、図２Ｂにおいては、円４４は、その一部だけが地図４０内に表示された弧状の等距離線である。
【００２６】
こうして、このナビゲーション装置においては、ＬＣＤ１８に電子地図４０を表示するとともに、自車マーク４１を中心とし、この中心から距離が等しい地図上の点をそれぞれ結ぶ距離表示円４２〜４４を表示するようにしているので、目標となる地点や建物などまでのおおよその距離を、直感的に、かつ、迅速に把握することができる。
【００２７】
しかも、その場合、電子地図４０を俯瞰図形式で表示している場合であっても、あるいはさらに、目標が斜め方向にあっても、問題なく距離を把握することができる。
【００２８】
また、自車位置から目標地点までのおおよその距離を電子地図上で視覚的に迅速に把握できるので、ドライブ計画の参考にしやすい。さらに、電子地図４０を俯瞰図形式に表示する場合には、距離表示円４２〜４４により立体感が向上する。そして、距離表示円４２〜４４を表示するためのプログラムを描画ドライバ（描画プログラム）に追加するだけで、以上の効果を得ることができる。
【００２９】
図３は、俯瞰図形式の電子地図４０の中心付近に、スクーロール中心を示す＋字カーソル４６が表示され、さらに、この＋字カーソル４６を中心とし、この中心から200ｍ、400ｍ、800ｍの点を結んだ距離表示円４２、４３、４４が表示された場合である。
【００３０】
また、図４は、俯瞰図形式に表示した地図４０において、自車マーク４１が地図４０の中央よりも下（進行後方）に位置するように地図４０を表示して進行前方についての地図情報をより多く表示するようにした場合である。そして、このような場合には、図４にも示すように、距離表示円４２〜４４（およびその外側の距離表示円）の一部あるいは全部を、弧状の等距離線とすることができる。
【００３１】
なお、上述において、距離表示円４２〜４４に、シャドウあるいはハイライトをつけることにより、あるいは、円４２〜４４をその描画される部分の地色の例えば補色とすることにより、距離表示円４２〜４４をより明瞭に見えるようにすることができる。
【００３２】
また、電子地図４０を俯瞰図形式に表示する場合には、自車マーク４１を中心にした円周上に、方位を示す文字や記号などを表示させれば、俯瞰図形式の場合には把握しにくい自車の進行方位を容易に、かつ、瞬時に知ることができる。
【００３３】
さらに、自車位置あるいは電子地図の中心から、放射状にラインを表示するとともに、各ラインに、自車位置あるいは電子地図の中心からの距離を示す目盛りを表示することもできる。
【００３４】
また、距離表示円４２〜４４の代わりに、円４２〜４４を境界として色分けして電子地図４０を表示することもできる。例えば、表示処理のハードウェアが２層以上のレイヤ構成であれば、下位レイヤに電子地図４０を描画し、上位レイヤを半透明レイヤとするとともに、これを円４２〜４４を境界とした色で塗りつぶせばよい。
【００３５】
さらに、上述においては、この発明を車載用ナビゲーション装置に適用した場合であるが、ＰＤＡ(Personal Digital Assistant)やパーソナルコンピュータなどにおいて、地図データにしたがって地図を表示する場合にも、この発明を適用することができる。また、ＤＶＤ−ＲＯＭ３０の代わりに、ＣＤ−ＲＯＭなどの大容量メディアであってもよい。さらに、電子地図４０を表示するための地図データの形式は問わない。
【符号の説明】
【００３６】
１０…マイクロコンピュータ、１１…ＣＰＵ、１２…ＲＯＭ、１３…ＲＡＭ、１４…メモリ、１５…キー、１６…キーインターフェイス回路、１７…ＬＣＤコントローラ回路、１８…カラーＬＣＤ、１９…システムバス、２１…ＤＶＤ−ＲＯＭドライブ装置、２２…ジャイロ、２３…車速センサ、２４…ＧＰＳアンテナ、２５…ＧＰＳユニット、３０…ＤＶＤ−ＲＯＭ、４０…電子地図、４１…自車マーク、４２〜４４…距離表示円（等距離線）、４５…距離表示数値、４６…＋字カーソル
【図１】
2011154405.tif 000003
【図２】
2011154405.tif 000004
【図３】
2011154405.tif 000005
【図４】
2011154405.tif 000006
【図５】
2011154405.tif 000007